【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
遊技島に設置される外枠と、前記外枠に対して開閉可能な本体枠とを備え、遊技球を用いて遊技が行われる遊技機であって、
前記外枠は、
下部に設けられる幕板を含む下部部材と、
左右いずれか一側に設けられ、前記本体枠を開閉可能に支持するヒンジ部材と、
を少なくとも有し、
前記下部部材の上面には、上方に立設する壁部が左右方向に形成されており、
前記壁部は、
前記ヒンジ部材が設けられた側において後方に退避して形成されることで、前記外枠に対して前記本体枠が閉じられたときに該本体枠との間に領域が形成されるとともに、
前記壁部と前記本体枠との間に形成された領域に、前記外枠と前記本体枠との間に存在する遊技球を排出できる孔が形成されてなる
ことを特徴とする遊技機。
【請求項２】
演出表示が行われる演出表示手段をさらに備える
請求項１に記載の遊技機。
【請求項３】
サウンドが出力されるスピーカをさらに備える
請求項１または２に記載の遊技機。
【手続補正２】
【補正対象書類名】明細書
【補正対象項目名】０００６
【補正方法】変更
【補正の内容】
【０００６】
しかしながら、特許文献１のような技術では、誘導路内に滞留している遊技媒体の荷重に対処するためには、誘導路の前端開口を閉鎖している状態でも、開閉扉を前端開口から外側へ大きく延びださせる必要があり、開閉扉の開閉に広いスペースが必要となるため、本体枠内に取付けられる遊技盤や他の部材等を圧迫してしまう問題があった。
また、従来の遊技機では、遊技媒体がこぼれてしまうと、外枠と本体枠との間に遊技球が挟まれてしまう虞があった。
【手続補正３】
【補正対象書類名】明細書
【補正対象項目名】０００７
【補正方法】変更
【補正の内容】
【０００７】
そこで、本発明は、外枠と本体枠との間に遊技球が挟まれることを低減させることを目的とする。
【手続補正４】
【補正対象書類名】明細書
【補正対象項目名】０００８
【補正方法】変更
【補正の内容】
【０００８】
請求項１に記載の遊技機は、遊技島に設置される外枠と、前記外枠に対して開閉可能な本体枠とを備え、遊技球を用いて遊技が行われる遊技機であって、前記外枠は、下部に設けられる幕板を含む下部部材と、左右いずれか一側に設けられ、前記本体枠を開閉可能に支持するヒンジ部材と、を少なくとも有し、前記下部部材の上面には、上方に立設する壁部が左右方向に形成されており、前記壁部は、前記ヒンジ部材が設けられた側において後方に退避して形成されることで、前記外枠に対して前記本体枠が閉じられたときに該本体枠との間に領域が形成されるとともに、前記壁部と前記本体枠との間に形成された領域に、前記外枠と前記本体枠との間に存在する遊技球を排出できる孔が形成されてなることを特徴とするものである。
請求項２に記載の遊技機は、請求項１において、演出表示が行われる演出表示手段をさらに備えるものである。
請求項３に記載の遊技機は、請求項１または２において、サウンドが出力されるスピーカをさらに備えるものである。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】変更
【補正の内容】
【００４５】
このように、本発明によれば、外枠と本体枠との間に遊技球が挟まれることを低減させることが可能な遊技機を提供することができる。
【手続補正４２】
【補正対象書類名】明細書
【補正対象項目名】０３５８
【補正方法】変更
【補正の内容】
【０３５８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
手段１：遊技機において、
「遊技盤を保持している本体枠と、
該本体枠の後側に取付けられており遊技媒体を払出す払出装置と、
該払出装置から払出された遊技媒体を前記本体枠の前端まで誘導する第一誘導路、及び該第一誘導路内が遊技媒体で満たされている時に前記払出装置から払出された遊技媒体を前記第一誘導路に隣接しながら前記本体枠の前端まで誘導し前端開口が前記第一誘導路の前端開口に対して上下方向及び左右方向に異なる位置で開口している第二誘導路、を有しており前記本体枠に取付けられているケース部材と、
該ケース部材の前端における前記第一誘導路と前記第二誘導路とに近接した部位で回転可能に取付けられている基部、該基部から前記第一誘導路の前端開口を閉鎖可能に延出している第一扉板部、該第一扉板部が前記第一誘導路の前端開口を閉鎖している状態で前記第二誘導路の前端開口を閉鎖可能に前記基部から延びている第二扉板部、及び前記基部に取付けられている作動部、を有しており、前記第一扉板部及び前記第二扉板部の後面が前記基部から遠ざかるに従って後方へ突出するように傾斜している開閉扉と、
一端が該開閉扉に取付けられていると共に他端が前記ケース部材に取付けられており、前記第一扉板部及び前記第二扉板部が前記第一誘導路及び前記第二誘導路の前端開口を閉鎖する方向へ前記開閉扉が回動するように付勢している閉鎖バネと、
前記本体枠の前面を開閉可能に閉鎖しており、前面側に前記遊技盤に打込まれる遊技媒体を貯留可能な上皿、及び該上皿の下側に取付けられており遊技媒体を貯留可能な下皿を有している扉枠と、
該扉枠に取付けられており、前記本体枠に対して前記扉枠を閉鎖した時に、前記開閉扉の前記作動部に当接して前記閉鎖バネの付勢力に抗して前記開閉扉を回動させて前記第一誘導路及び前記第二誘導路を開放させる扉開閉当接部と、
前記扉枠に取付けられており、前記本体枠に対して前記扉枠を閉鎖した時に前記第一誘導路と前記上皿とを連通させて前記第一誘導路からの遊技媒体を前記上皿へ流通させる第一流通路、及び前記本体枠に対して前記扉枠を閉鎖した時に前記第二誘導路と前記下皿とを連通させて前記第二誘導路からの遊技媒体を前記下皿へ流通させる第二流通路、を有している流通路部材と
を具備している」ものであることを特徴とする。
ここで、「第一誘導路内が遊技媒体で満たされている時に払出装置から払出された遊技媒体を誘導する第二誘導路」としては、「払出装置における遊技媒体が払出される払出出口の直下で少なくとも遊技媒体の外径よりも離れた位置に第一誘導路の上流端開口を配置すると共に、第一誘導路の上流端開口に隣接して第二誘導路の上流端開口を配置し、第一誘導路内が上流端まで遊技媒体で満たされると、第一誘導路の上流端開口へ落下した遊技媒体が第二誘導路側へ転動するようにしたもの」、「第一誘導路の上流端側に切替片を備え、第一誘導路が遊技媒体で満たされると切替片を作動させて払出装置からの遊技媒体を第二誘導路側へ切替えるようにしたもの」、等が挙げられる。
また、第一誘導路及び第二誘導路の前端開口を閉鎖可能な「第一扉板部及び第二扉板部」としては、「閉鎖している状態で第一誘導路及び第二誘導路の前端開口に対して遊技球が通過不能な隙間が形成されるもの」、「第一誘導路及び第二誘導路の前端開口を隙間なく閉鎖するもの」、等が挙げられる。
更に、「後面が基部から遠ざかるに従って後方へ突出するように傾斜している第一扉板部及び第二扉板部」としては、「前後の厚さが基部から遠ざかるに従って厚くなるように形成されている第一扉板部及び第二扉板部」、「前後の厚さが一定に形成されている第一扉板部及び第二扉板部」、等が挙げられる。
手段１の構成によると、遊技機に、遊技盤を保持している本体枠と、本体枠の後側に取付けられており遊技媒体を払出す払出装置と、払出装置から払出された遊技媒体を本体枠の前端まで誘導する第一誘導路、及び第一誘導路内が遊技媒体で満たされている時に払出装置から払出された遊技媒体を第一誘導路に隣接しながら本体枠の前端まで誘導し前端開口が第一誘導路の前端開口に対して上下方向及び左右方向に異なる位置で開口している第二誘導路、を有しており本体枠に取付けられているケース部材と、ケース部材の前端における第一誘導路と第二誘導路とに近接した部位で回転可能に取付けられている基部、基部から第一誘導路の前端開口を閉鎖可能に延出している第一扉板部、第一扉板部が第一誘導路の前端開口を閉鎖している状態で第二誘導路の前端開口を閉鎖可能に基部から延びている第二扉板部、及び基部に取付けられている作動部、を有しており、第一扉板部及び第二扉板部の後面が基部から遠ざかるに従って後方へ突出するように傾斜している開閉扉と、一端が開閉扉に取付けられていると共に他端がケース部材に取付けられており、第一扉板部及び第二扉板部が第一誘導路及び第二誘導路の前端開口を閉鎖する方向へ開閉扉が回動するように付勢している閉鎖バネと、本体枠の前面を開閉可能に閉鎖しており、前面側に遊技盤に打込まれる遊技媒体を貯留可能な上皿、及び上皿の下側に取付けられており遊技媒体を貯留可能な下皿を有している扉枠と、扉枠に取付けられており、本体枠に対して扉枠を閉鎖した時に、開閉扉の作動部に当接して閉鎖バネの付勢力に抗して開閉扉を回動させて第一誘導路及び第二誘導路を開放させる扉開閉当接部と、扉枠に取付けられており、本体枠に対して扉枠を閉鎖した時に第一誘導路と上皿とを連通させて第一誘導路からの遊技媒体を上皿へ流通させる第一流通路、及び本体枠に対して扉枠を閉鎖した時に第二誘導路と下皿とを連通させて第二誘導路からの遊技媒体を下皿へ流通させる第二流通路、を有している流通路部材と、を備えているものである。
これにより、第一誘導路及び第二誘導路の互いに隣接している前端開口を閉鎖する開閉扉を、第一誘導路と第二誘導路とに近接した位置、つまり、第一誘導路と第二誘導路との間となるような位置で回動可能にケース部材に取付けていると共に、第一誘導路及び第二誘導路の前端開口を閉鎖している第一扉板部及び第二扉板部の後面を、基部から遠ざかるに従って後方へ突出するように傾斜させているため、第一誘導路及び第二誘導路内の遊技媒体が傾斜している第一扉板部及び第二扉板部の後面に当接することで、その後面の傾斜によって遊技媒体を基部側へ寄せることができる。従って、第一誘導路及び第二誘導路内に滞留している遊技媒体の荷重を、開閉扉の第一扉板部及び第二扉板部においてケース部材に取付けられている基部側へ寄った位置に作用させることができるため、第一扉板部及び第二扉板部を変形し難くすることができ、第一扉板部及び第二扉板部の変形によって本体枠に対して扉枠を開けた時に第一誘導路及び第二誘導路から遊技媒体がこぼれてしまうのを防止することができる。
また、本体枠側の互いに隣接している第一誘導路及び第二誘導路の前端開口を、上下方向及び左右方向に異なる位置で開口させていると共に、第一誘導路と第二誘導路との間となる位置で開閉扉を回動可能に取付けているため、第一誘導路及び第二誘導路の前端開口を閉鎖している状態で、開閉扉において第一誘導路及び第二誘導路の前端開口よりも外側へ延びている部分が小さくなり、開閉扉の開閉に必要なスペースを可及的に小さくすることができる。従って、本体枠内において開閉扉の開閉に必要なスペースを可及的に小さくすることができるため、相対的に本体枠内のスペースを広くすることができ、本体枠内に取付けられる遊技盤や他の部材等を大型化させて、遊技者をより楽しませられる遊技機とすることができる。
更に、本体枠に対して扉枠を閉鎖している状態では、扉枠の扉開閉当接部が開閉扉の作動部に当接することで、閉鎖バネの付勢力に抗して第一誘導路及び第二誘導路の前端開口が開放される方向へ開閉扉を回動させ、第一誘導路と第一流通路、及び第二誘導路と第二流通路が、夫々互いに連通している。この状態で払出装置から遊技媒体が払出されると、第一誘導路及び第一流通路を通って扉枠の前面側の上皿に供給される。上皿内が遊技媒体で一杯になり、更に、第一流通路及び第一誘導路内が遊技媒体で満たされた状態で払出装置から遊技媒体が払出されると、第二誘導路及び第二流通路を通って上皿の下側の下皿に供給される。このように、遊技中に、上皿が遊技媒体で一杯になった状態で更に遊技媒体が払出されても、遊技媒体が自動的に下皿に払出されるので、上皿、第一流通路、第一誘導路、下皿、第二流通路、及び第二誘導路によって一度に多くの遊技媒体を滞留（貯留）させることができる。この本体枠の第一誘導路や第二誘導路内に遊技媒体が滞留している状態で、本体枠に対して扉枠を開いた場合、作動部に当接することで閉鎖バネの付勢力に抗して開閉扉を回動させている扉枠の扉開閉当接部が、作動部から離れるため、閉鎖バネの付勢力によって、第一誘導路及び第二誘導路の前端開口を閉鎖するように開閉扉が回動し、開閉扉の第一扉板部及び第二扉板部によって第一誘導路及び第二誘導路の前端開口が閉鎖される。これにより、本体枠に対して扉枠を開いても、第一誘導路及び第二誘導路の前端開口が開閉扉の第一扉板部及び第二扉板部によって閉鎖されているため、第一誘導路及び第二誘導路内に滞留している遊技媒体が、前端開口から外部へこぼれるのを防止することができる。そして、上述したように、開閉扉の第一扉板部及び第二扉板部が変形し難いことから、第一誘導路及び第二誘導路内により多くの遊技媒体を問題なく貯留させることができるため、短時間で多くの遊技媒体が払出されるような遊技状態（例えば、大当り遊技の状態）でも、上皿や下皿が遊技媒体で一杯になるのを気にすることなく遊技を続けさせることができ、遊技の中断を低減させて遊技者の興趣が低下するのを抑制することができる。
また、本体枠側の第一誘導路及び第二誘導路の前端開口を、上下方向及び左右方向に異なる位置で開口させている、つまり、第一誘導路及び第二誘導路の前端開口を、正面視において斜めに並ぶように配置しているため、第一誘導路及び第二誘導路の前端開口を円弧に沿うように配置した場合、第一誘導路及び第二誘導路の前端開口を本体枠の隅に配置し易くなり、第一誘導路及び第二誘導路の前端開口を本体枠の隅に配置することで本体枠の中央側のスペースを広くすることができ、より大型の遊技盤を本体枠に取付けることができるようになる。
なお、開閉扉における第一扉板部及び第二扉板部の後面に、遊技媒体の一部が挿入可能な凹部を少なくとも一つ夫々備えるようにしても良く、これにより、開閉扉の第一扉板部及び第二扉板部の後面に夫々少なくとも一つの凹部を備えているため、凹部に遊技媒体の一部が挿入されることで、第一扉板部及び第二扉板部の後面に対して、遊技媒体が当接する位置、つまり、第一誘導路及び第二誘導路内で滞留している遊技媒体の荷重が作用する位置、を予め定めておくことができる。従って、凹部の位置を適宜設定することで、第一誘導路及び第二誘導路内に滞留している遊技媒体からの荷重を、開閉扉における基部に近い位置に作用させることができ、開閉扉の第一扉板部及び第二扉板部を変形し難くさせて、扉枠を開いた時に本体枠側の第一誘導路及び第二誘導路から遊技媒体をこぼれ難くすることができる。この場合、開閉扉の凹部を、基部寄りの位置に備えるようにすることが望ましく、これにより、開閉扉の第一扉板部及び第二扉板部によって第一誘導路及び第二誘導路の前端開口を閉鎖した時に、第一誘導路及び第二誘導路内を前方へ転動してきた遊技媒体が、第一扉板部及び第二扉板部の後面に当接して凹部に一部が挿入されて停止すると、遊技媒体からの荷重が第一扉板部及び第二扉板部において凹部の形成されている基部寄りの位置に作用することとなり、ケース部材に取付けられている基部寄りの位置に遊技媒体からの荷重が作用することで、第一扉板部及び第二扉板部が変形し難くなり、上述した作用効果を確実に奏することが可能な遊技機を具現化することができる。
また、ケース部材における第一誘導路及び第二誘導路の左右方向の幅を、遊技媒体の外径の整数倍と異なった幅に形成するようにしても良く、これにより、開閉扉の第一扉板部及び第二扉板部によって本体枠側の第一誘導路及び第二誘導路を閉鎖している状態で、第一扉板部及び第二扉板部の後面に当接している遊技媒体の後側に当接している二列目の遊技媒体において、開閉扉の基部から最も離れた遊技媒体の重心の位置が、前列（一列目）における基部から最も離れた遊技媒体の重心の位置よりも、基部から遠ざかった外側の位置となるため、二列目における基部から最も離れた遊技媒体から一列目の遊技媒体側へ作用する荷重の方向が、基部側へ傾いた方向へ作用することとなり、第一扉板部及び第二扉板部において基部から遠ざかった位置に遊技媒体の荷重が作用するのを低減させることができる。従って、上述と同様に、第一誘導路及び第二誘導路内の遊技媒体から荷重が作用しても、第一扉板部及び第二扉板部を変形し難くすることができ、上記と同様の作用効果を奏することができる。
更に、ケース部材における第一誘導路及び第二誘導路における底面を、左右方向において互いに隣接している側が低くなるように傾斜させるようにしても良く、これにより、開閉扉によって第一誘導路及び第二誘導路の前端開口を閉鎖している時に、第一誘導路及び第二誘導路内に滞留している遊技媒体を、傾斜している底面によって第一扉板部及び第二扉板部における基部に寄った位置に当接させることができ、上記と同様の作用効果を奏することができる。
手段２：手段１の構成において、
「前記開閉扉は、
前記第一扉板部及び前記第二扉板部の後面に、遊技媒体の一部が挿入可能な凹部を少なくとも一つ夫々備えている」ものであることを特徴とする。
ここで、「凹部」としては、遊技媒体の一部が挿入されることで、第一扉板部や第二扉板部の後面に沿って遊技媒体が転動するのを抑制することができる形態であれば良い。
手段２の構成によると、開閉扉における第一扉板部及び第二扉板部の後面に、遊技媒体の一部が挿入可能な凹部を少なくとも一つ夫々備えるようにしたものである。
これにより、開閉扉の第一扉板部及び第二扉板部の後面に夫々少なくとも一つの凹部を備えているため、凹部に遊技媒体の一部が挿入されることで、第一扉板部及び第二扉板部の後面に対して、遊技媒体が当接する位置、つまり、第一誘導路及び第二誘導路内で滞留している遊技媒体の荷重が作用する位置、を予め定めておくことができる。従って、凹部の位置を適宜設定することで、第一誘導路及び第二誘導路内に滞留している遊技媒体からの荷重を、開閉扉における基部に近い位置に作用させることができ、開閉扉の第一扉板部及び第二扉板部を変形し難くさせて、扉枠を開いた時に本体枠側の第一誘導路及び第二誘導路から遊技媒体をこぼれ難くすることができる。
手段３：手段２の構成において、
「前記開閉扉の前記凹部は、
前記基部寄りの位置に備えられている」ものであることを特徴とする。
手段３の構成によると、開閉扉の凹部を、基部寄りの位置に備えるようにしたものである。
これにより、開閉扉の第一扉板部及び第二扉板部によって第一誘導路及び第二誘導路の前端開口を閉鎖した時に、第一誘導路及び第二誘導路内を前方へ転動してきた遊技媒体が、第一扉板部及び第二扉板部の後面に当接して凹部に一部が挿入されて停止すると、遊技媒体からの荷重が第一扉板部及び第二扉板部において凹部の形成されている基部寄りの位置に作用することとなり、ケース部材に取付けられている基部寄りの位置に遊技媒体からの荷重が作用することで、第一扉板部及び第二扉板部が変形し難くなり、上述した作用効果を確実に奏することが可能な遊技機を具現化することができる。
手段４：手段１から手段３までの何れか一つの構成において、
「前記ケース部材は、
前記第一誘導路及び前記第二誘導路の左右方向の幅が、遊技媒体の外径の整数倍と異なった幅に形成されている」ものであることを特徴とする。
手段４の構成によると、ケース部材における第一誘導路及び第二誘導路の左右方向の幅を、遊技媒体の外径の整数倍と異なった幅に形成するようにしたものである。
これにより、開閉扉の第一扉板部及び第二扉板部によって本体枠側の第一誘導路及び第二誘導路を閉鎖している状態で、第一扉板部及び第二扉板部の後面に当接している遊技媒体の後側に当接している二列目の遊技媒体において、開閉扉の基部から最も離れた遊技媒体の重心の位置が、前列（一列目）における基部から最も離れた遊技媒体の重心の位置よりも、基部から遠ざかった外側の位置となるため、二列目における基部から最も離れた遊技媒体から一列目の遊技媒体側へ作用する荷重の方向が、基部側へ傾いた方向へ作用することとなり、第一扉板部及び第二扉板部において基部から遠ざかった位置に遊技媒体の荷重が作用するのを低減させることができる。従って、上述と同様に、第一誘導路及び第二誘導路内の遊技媒体から荷重が作用しても、第一扉板部及び第二扉板部を変形し難くすることができ、上記と同様の作用効果を奏することができる。
手段５：遊技機において、
「遊技盤を保持している本体枠と、  該本体枠の後側に取付けられており遊技媒体を払出す払出装置と、
該払出装置から払出された遊技媒体を前記本体枠の前端まで誘導する第一誘導路、及び該第一誘導路内が遊技媒体で満たされている時に前記払出装置から払出された遊技媒体を前記第一誘導路に隣接しながら前記本体枠の前端まで誘導し前端開口が前記第一誘導路の前端開口に対して上下方向及び左右方向に異なる位置で開口している第二誘導路、を有していると共に、前記第一誘導路及び前記第二誘導路の左右方向の幅が遊技媒体の外径の整数倍と異なった幅に形成されており、前記本体枠に取付けられているケース部材と、
該ケース部材の前端における前記第一誘導路と前記第二誘導路とに近接した部位で回転可能に取付けられている基部、該基部から前記第一誘導路の前端開口を閉鎖可能に延出している第一扉板部、該第一扉板部が前記第一誘導路の前端開口を閉鎖している状態で前記第二誘導路の前端開口を閉鎖可能に前記基部から延びている第二扉板部、前記基部に取付けられている作動部、及び前記第一扉板部及び前記第二扉板部の後面における前記基部寄りの位置に夫々備えられており遊技媒体の一部が挿入可能な少なくとも一つの凹部、を有しており、前記第一扉板部及び前記第二扉板部の後面が前記基部から遠ざかるに従って後方へ突出するように傾斜している開閉扉と、
一端が該開閉扉に取付けられていると共に他端が前記ケース部材に取付けられており、前記第一扉板部及び前記第二扉板部が前記第一誘導路及び前記第二誘導路の前端開口を閉鎖する方向へ前記開閉扉が回動するように付勢している閉鎖バネと、
前記本体枠の前面を開閉可能に閉鎖しており、前面側に前記遊技盤に打込まれる遊技媒体を貯留可能な上皿、及び該上皿の下側に取付けられており遊技媒体を貯留可能な下皿を有している扉枠と、
該扉枠に取付けられており、前記本体枠に対して前記扉枠を閉鎖した時に、前記開閉扉の前記作動部に当接して前記閉鎖バネの付勢力に抗して前記開閉扉を回動させて前記第一誘導路及び前記第二誘導路を開放させる扉開閉当接部と、
前記扉枠に取付けられており、前記本体枠に対して前記扉枠を閉鎖した時に前記第一誘導路と前記上皿とを連通させて前記第一誘導路からの遊技媒体を前記上皿へ流通させる第一流通路、及び前記本体枠に対して前記扉枠を閉鎖した時に前記第二誘導路と前記下皿とを連通させて前記第二誘導路からの遊技媒体を前記下皿へ流通させる第二流通路、を有している流通路部材と
を具備している」ものであることを特徴とする。
手段５の構成によると、遊技機に、遊技盤を保持している本体枠と、本体枠の後側に取付けられており遊技媒体を払出す払出装置と、払出装置から払出された遊技媒体を本体枠の前端まで誘導する第一誘導路、及び第一誘導路内が遊技媒体で満たされている時に払出装置から払出された遊技媒体を第一誘導路に隣接しながら本体枠の前端まで誘導し前端開口が第一誘導路の前端開口に対して上下方向及び左右方向に異なる位置で開口している第二誘導路、を有していると共に、第一誘導路及び第二誘導路の左右方向の幅が遊技媒体の外径の整数倍と異なった幅に形成されており、本体枠に取付けられているケース部材と、ケース部材の前端における第一誘導路と第二誘導路とに近接した部位で回転可能に取付けられている基部、基部から第一誘導路の前端開口を閉鎖可能に延出している第一扉板部、第一扉板部が第一誘導路の前端開口を閉鎖している状態で第二誘導路の前端開口を閉鎖可能に基部から延びている第二扉板部、基部に取付けられている作動部、及び第一扉板部及び第二扉板部の後面における基部寄りの位置に夫々備えられており遊技媒体の一部が挿入可能な少なくとも一つの凹部、を有しており、第一扉板部及び第二扉板部の後面が基部から遠ざかるに従って後方へ突出するように傾斜している開閉扉と、一端が開閉扉に取付けられていると共に他端がケース部材に取付けられており、第一扉板部及び第二扉板部が第一誘導路及び第二誘導路の前端開口を閉鎖する方向へ開閉扉が回動するように付勢している閉鎖バネと、本体枠の前面を開閉可能に閉鎖しており、前面側に遊技盤に打込まれる遊技媒体を貯留可能な上皿、及び上皿の下側に取付けられており遊技媒体を貯留可能な下皿を有している扉枠と、扉枠に取付けられており、本体枠に対して扉枠を閉鎖した時に、開閉扉の作動部に当接して閉鎖バネの付勢力に抗して開閉扉を回動させて第一誘導路及び第二誘導路を開放させる扉開閉当接部と、扉枠に取付けられており、本体枠に対して扉枠を閉鎖した時に第一誘導路と上皿とを連通させて第一誘導路からの遊技媒体を上皿へ流通させる第一流通路、及び本体枠に対して扉枠を閉鎖した時に第二誘導路と下皿とを連通させて第二誘導路からの遊技媒体を下皿へ流通させる第二流通路、を有している流通路部材と
を、具備させるようにしたものである。
これにより、第一誘導路及び第二誘導路の互いに隣接している前端開口を閉鎖する開閉扉を、第一誘導路と第二誘導路とに近接した位置、つまり、第一誘導路と第二誘導路との間となるような位置で回動可能にケース部材に取付けていると共に、第一誘導路及び第二誘導路の前端開口を閉鎖している第一扉板部及び第二扉板部の後面を、基部から遠ざかるに従って後方へ突出するように傾斜させているため、第一誘導路及び第二誘導路内の遊技媒体が傾斜している第一扉板部及び第二扉板部の後面に当接することで、その後面の傾斜によって遊技媒体を基部側へ寄せることができる。従って、第一誘導路及び第二誘導路内に滞留している遊技媒体の荷重を、開閉扉の第一扉板部及び第二扉板部においてケース部材に取付けられている基部側へ寄った位置に作用させることができるため、第一扉板部及び第二扉板部を変形し難くすることができ、第一扉板部及び第二扉板部の変形によって本体枠に対して扉枠を開けた時に第一誘導路及び第二誘導路から遊技媒体がこぼれてしまうのを防止することができる。
また、開閉扉の第一扉板部及び第二扉板部の後面における基部寄りの位置に、夫々少なくとも一つの凹部を備えているため、凹部に遊技媒体の一部が挿入されることで、第一扉板部及び第二扉板部の後面に対して、遊技媒体が当接する位置、つまり、第一誘導路及び第二誘導路内で滞留している遊技媒体の荷重が作用する位置、を基部寄りの位置とすることができる。従って、凹部によって、第一誘導路及び第二誘導路内に滞留している遊技媒体からの荷重を、開閉扉における基部に近い位置に作用させることができるため、開閉扉の第一扉板部及び第二扉板部を変形し難くさせることができ、扉枠を開いた時に本体枠側の第一誘導路及び第二誘導路から遊技媒体をこぼれ難くすることができる。
更に、ケース部材における第一誘導路及び第二誘導路の左右方向の幅を、遊技媒体の外径の整数倍と異なった幅に形成しているため、開閉扉の第一扉板部及び第二扉板部によって本体枠側の第一誘導路及び第二誘導路を閉鎖している状態で、第一扉板部及び第二扉板部の後面に当接している遊技媒体の後側に当接している二列目の遊技媒体において、開閉扉の基部から最も離れた遊技媒体の重心の位置が、前列（一列目）における基部から最も離れた遊技媒体の重心の位置よりも、基部から遠ざかった外側の位置となる。これにより、二列目における基部から最も離れた遊技媒体から一列目の遊技媒体側へ作用する荷重の方向が、基部側へ傾いた方向へ作用することとなるため、第一扉板部及び第二扉板部において基部から遠ざかった位置に、遊技媒体の荷重が作用するのを低減させることができる。従って、上述と同様に、第一誘導路及び第二誘導路内の遊技媒体から荷重が作用しても、第一扉板部及び第二扉板部を変形し難くすることができ、上記と同様の作用効果を奏することができる。
また、本体枠側の互いに隣接している第一誘導路及び第二誘導路の前端開口を、上下方向及び左右方向に異なる位置で開口させていると共に、第一誘導路と第二誘導路との間となる位置で開閉扉を回動可能に取付けているため、第一誘導路及び第二誘導路の前端開口を閉鎖している状態で、開閉扉において第一誘導路及び第二誘導路の前端開口よりも外側へ延びている部分が小さくなり、開閉扉の開閉に必要なスペースを可及的に小さくすることができる。従って、本体枠内において開閉扉の開閉に必要なスペースを可及的に小さくすることができるため、相対的に本体枠内のスペースを広くすることができ、本体枠内に取付けられる遊技盤や他の部材等を大型化させて、遊技者をより楽しませられる遊技機とすることができる。
更に、本体枠に対して扉枠を閉鎖している状態では、扉枠の扉開閉当接部が開閉扉の作動部に当接することで、閉鎖バネの付勢力に抗して第一誘導路及び第二誘導路の前端開口が開放される方向へ開閉扉を回動させ、第一誘導路と第一流通路、及び第二誘導路と第二流通路が、夫々互いに連通している。この状態で払出装置から遊技媒体が払出されると、第一誘導路及び第一流通路を通って扉枠の前面側の上皿に供給される。上皿内が遊技媒体で一杯になり、更に、第一流通路及び第一誘導路内が遊技媒体で満たされた状態で払出装置から遊技媒体が払出されると、第二誘導路及び第二流通路を通って上皿の下側の下皿に供給される。このように、遊技中に、上皿が遊技媒体で一杯になった状態で更に遊技媒体が払出されても、遊技媒体が自動的に下皿に払出されるので、上皿、第一流通路、第一誘導路、下皿、第二流通路、及び第二誘導路によって一度に多くの遊技媒体を滞留（貯留）させることができる。この本体枠の第一誘導路や第二誘導路内に遊技媒体が滞留している状態で、本体枠に対して扉枠を開いた場合、作動部に当接することで閉鎖バネの付勢力に抗して開閉扉を回動させている扉枠の扉開閉当接部が、作動部から離れるため、閉鎖バネの付勢力によって、第一誘導路及び第二誘導路の前端開口を閉鎖するように開閉扉が回動し、開閉扉の第一扉板部及び第二扉板部によって第一誘導路及び第二誘導路の前端開口が閉鎖される。これにより、本体枠に対して扉枠を開いても、第一誘導路及び第二誘導路の前端開口が開閉扉の第一扉板部及び第二扉板部によって閉鎖されているため、第一誘導路及び第二誘導路内に滞留している遊技媒体が、前端開口から外部へこぼれるのを防止することができる。そして、上述したように、開閉扉の第一扉板部及び第二扉板部が変形し難いことから、第一誘導路及び第二誘導路内により多くの遊技媒体を問題なく貯留させることができるため、短時間で多くの遊技媒体が払出されるような遊技状態（例えば、大当り遊技の状態）でも、上皿や下皿が遊技媒体で一杯になるのを気にすることなく遊技を続けさせることができ、遊技の中断を低減させて遊技者の興趣が低下するのを抑制することができる。
また、本体枠側の第一誘導路及び第二誘導路の前端開口を、上下方向及び左右方向に異なる位置で開口させている、つまり、第一誘導路及び第二誘導路の前端開口を、正面視において斜めに並ぶように配置しているため、第一誘導路及び第二誘導路の前端開口を円弧に沿うように配置した場合、第一誘導路及び第二誘導路の前端開口を本体枠の隅に配置し易くなり、第一誘導路及び第二誘導路の前端開口を本体枠の隅に配置することで本体枠の中央側のスペースを広くすることができ、より大型の遊技盤を本体枠に取付けることができるようになる。
手段６：手段１から手段５の何れか一つの遊技機において、
パチンコ機であることを特徴とする。
ここで、パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
なお、パチンコ機としては、種々のタイプのものがあり、一般に「デジパチ機」と称されるものに代表される「入球口への入球状態を検出する入球状態検出手段（遊技状態検出手段として捉えることもできる）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の図柄からなる図柄列を変動表示し、図柄列にて図柄を停止表示させたり、キャラクタや種々の物品等の表示物を描写し表示物を動作させたりする等によって適宜の演出表示を行う演出表示手段を更に具備するもの」、一般に「ハネモノ機」と称されるものに代表される「役物内での遊技球の振分けによって抽選を行う抽選手段を備えたもの」、一般に「アレパチ機」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
手段６の構成によると、パチンコ機において、上述した手段のいずれかの作用効果を奏することができる。
手段７：手段１から手段５までの何れか一つの遊技機において、
パチスロ機であることを特徴とする。
ここで、パチスロ機とは、投入媒体であるメダルを投入し、メダルの投入後、始動用操作手段（例えば操作レバー）の操作によって、夫々複数の図柄が描かれた複数のリールを回転させる等して、各リール等によって構成された図柄列を変動表示させるとともに、その後、停止用操作手段（例えばストップボタン）の操作に応じて各図柄列の変動表示を停止させる、といった遊技が遊技者によって行われるものである。換言すれば、停止操作機能付きのスロットマシーンとして捉えることができるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合せが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
手段７の構成によると、パチスロ機において、上述した手段のいずれかの作用効果を奏することができる。
手段８：手段１から手段５までの何れか一つの遊技機において、
パチンコ機とパチスロ機とを融合させてなることを特徴とする。
ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合せが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
手段８の構成によると、パチンコ機とパチスロ機とを融合させてなる遊技機において、上述した手段のいずれかの作用効果を奏することができる。
【手続補正４３】
【補正対象書類名】明細書
【補正対象項目名】０３５９
【補正方法】変更
【補正の内容】
【０３５９】
また、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。